(57)【要約】【課題】シリーズ番組の検索および予約録画が簡単に行えるようにした番組表搭載デジタル放送受信機を提供する【解決手段】ＥＰＧを前記表示装置にＥＰＧ画面として表示させ、かつ、番組をグループとして扱うシリーズ番組情報一覧を前記ＥＰＧ画面と同一画面に表示し、切替手段によりＥＰＧ画面、シリーズ番組一覧、番組内容一覧の何れかをアクティブ状態に切替え、前記シリーズ番組一覧表の画面のアクティブ状態において、シリーズ番組を選択することにより、番組内容一覧表を表示し、前記番組内容一覧表において、前記シリーズ番組の各放送回の情報が表示され、前記番組内容一覧表において、所望の放送回を選択することにより、その放送回の番組説明および／または録画予約を行うように制御する制御手段とを備えたことを特徴とする番組表搭載デジタル放送受信機。【選択図】図５
2006115227.tif 000002
【特許請求の範囲】
【請求項１】
放送局から発信されるデジタル／アナログ放送信号を受信する受信手段と、
この受信手段が受信した放送信号を復号するデジタル／アナログ復号手段と、
このデジタル／アナログ復号手段が復号した復号信号を映像表示が可能な信号に変換し
て表示装置に出力する信号変換手段と、
前記表示装置に所定のＯＳＤ表示をさせるＯＳＤ表示手段と、
番組選択等の各種指令を入力するための入力手段と、
前記デジタル／アナログ復号手段が復号した復号信号に含まれる番組情報を記憶する記
憶手段と、
前記各手段を制御するとともに、前記入力手段からの指令を受け、前記記憶手段に記憶
させた番組情報に基いてＥＰＧを作成し、この作成したＥＰＧを前記表示装置にＥＰＧ画
面として表示させ、かつ、番組をグループとして扱うシリーズ番組情報一覧を前記ＥＰＧ
画面と同一画面に表示し、切替手段によりＥＰＧ画面、シリーズ番組一覧、番組内容一覧
の何れかをアクティブ状態に切替え、前記シリーズ番組一覧表の画面のアクティブ状態に
おいて、シリーズ番組を選択することにより、番組内容一覧表を表示し、前記番組内容一
覧表において、前記シリーズ番組の各放送回の情報が表示され、前記番組内容一覧表にお
いて、所望の放送回を選択することにより、その放送回の番組説明および／または録画予
約を行うように制御する制御手段と、を備えたことを特徴とする番組表搭載デジタル放送
受信機。
【請求項２】
放送局から発信される放送信号を受信する受信手段と、
この受信手段が受信した放送信号を映像表示が可能な信号に変換して表示装置に出力す
る信号変換手段と、
番組選択等の各種指令を入力するための入力手段と、
番組情報を記憶する記憶手段と、
前記各手段を制御するとともに、前記入力手段からの指令を受け、前記記憶手段に記憶
させた番組情報に基いてＥＰＧを作成し、この作成したＥＰＧを前記表示装置にＥＰＧ画
面として表示させ、かつ、番組をグループとして扱うシリーズ番組一覧表を前記ＥＰＧ画
面と同一画面に表示し、切替手段により該ＥＰＧ画面とシリーズ番組一覧表の一方をアク
ティブ状態に切替え、前記シリーズ番組一覧表の画面のアクティブ状態において、シリー
ズ番組を選択することにより、番組内容一覧表を表示し、前記番組内容一覧表において、
前記シリーズ番組の各放送回の情報が表示されるように制御する制御手段と、を備えたこ
とを特徴とする番組表搭載デジタル放送受信機。
【請求項３】
前記制御手段は、前記シリーズ番組一覧表の画面のアクティブ状態において、シリーズ
番組を選択することにより、前記シリーズ番組一覧表に代えて番組内容一覧表を表示し、
前記番組内容一覧表において、前記シリーズ番組の各放送回の情報が表示されるように制
御することを特徴とする、請求項２に記載の番組表搭載デジタル放送受信機。
【請求項４】
前記制御手段は、前記シリーズ番組一覧表の画面のアクティブ状態において、シリーズ
番組を選択することにより、前記ＥＰＧ画面、前記シリーズ番組一覧表に加え、番組内容
一覧表を表示し、前記番組内容一覧表において、前記シリーズ番組の各放送回の情報が表
示されるように制御することを特徴とする、請求項２に記載の番組表搭載デジタル放送受
信機。
【請求項５】
前記制御手段は、前記番組内容一覧表において、所望の放送回を選択することにより、
その放送回の番組説明および／または録画予約を行うように制御することを特徴とする請
求項２乃至４の何れかに記載の番組表搭載デジタル放送受信機。
【発明の詳細な説明】
【技術分野】
【０００１】
この発明は、例えばＢＳ（Broadcasting Satellite）デジタル放送やＣＳ（Communicat
ion Satellite）デジタル放送、あるいは地上波デジタル放送において、番組選択や録画
予約を行う番組表を搭載した番組表搭載デジタル放送受信機に関する。
【背景技術】
【０００２】
近年、デジタル放送などの分野では、ＭＰＥＧの画像圧縮技術の利用により、多チャン
ネルの番組を広範囲にわたった放送サービスが提供されつつある。しかしながら、チャン
ネル数の増加によって、新聞や雑誌のような印刷物による番組表から当日、翌日、１週間
後などの番組を探し出してチャンネル選択や録画予約を行うことは、多くのユーザにとっ
て煩雑なものとなっている。そこで、その対策としてユーザがＴＶ画面上で番組検索や選
択ならびに録画予約等をできるように、番組情報など番組表を作るために必要なデータを
画像データや音声データとともに多重化して放送し、そして、デジタル放送チューナなど
でこの番組表に必要なデータを受信するとともに、この受信データに基づきデジタル放送
チューナなどで番組表を作成してテレビジョン装置などに映し出す電子番組表（以下、Ｅ
ＰＧと称す）が使用されるようになってきており、ＥＰＧによるさまざまな番組表機能が
開発されている。
【０００３】
例えば、特許文献１には、ユーザが選択した特定のシリーズを構成する各シリーズ番組
の詳細情報をユーザに提示することができるデジタル放送受信機が開示されている。
【０００４】
また、特許文献２には、選択されたジャンルごとのチャンネル一覧表や番組一覧表を表
示した場合、ジャンルの所望カテゴリを選択すると、そのカテゴリに該当する放送番組表
が一覧表示になって大量に表示され、チャンネルの選択に手間取り、ユーザにとってわず
らわしい放送番組の選択操作を容易にするデジタル放送受信機が開示されている。
【特許文献１】特開２００１−２５７９５５号公報
【特許文献２】特開２００３−２９８９６３号公報
【発明の開示】
【発明が解決しようとする課題】
【０００５】
テレビ番組には、毎日、毎週１回、月曜から金曜まで毎日放送する番組、あるいはサッ
カー中継のように月に何回かの不定期に放送する番組等、番組を所定のグループとして扱
うシリーズ番組がある。従来、このようなシリーズ番組を検索しあるいは録画予約を行う
際は、ＥＰＧ画面から検索するしかないため、例えば、１週間先のシリーズ番組をＥＰＧ
に表示させる場合、リモコンのキー操作で１週間先にＥＰＧ画面を遷移させなければなら
ず、リモコン操作が面倒である。さらにまた、サッカー中継のように日程や時間が不定期
の番組では、ＥＰＧには表示できないことがあり、その場合は検索が困難であるという問
題があった。
【０００６】
上述のように、特許文献１には、番組ガイド部と、この番組ガイド部で選択されている
番組の詳細を表示する画面の２画面を表示する技術が開示されているが、ＥＰＧとシリー
ズ番組情報一覧を同時に表示していないため、シリーズ番組の検索が困難であるという問
題は解消されない。
【０００７】
本発明の目的は、シリーズ番組の検索および予約録画が簡単に行えるようにした番組表
搭載デジタル放送受信機を提供することにある。
【課題を解決するための手段】
【０００８】
第１発明に係る番組表搭載デジタル放送受信機は、放送局から発信されるデジタル／ア
ナログ放送信号を受信する受信手段と、この受信手段が受信した放送信号を復号するデジ
タル／アナログ復号手段と、このデジタル／アナログ復号手段が復号した復号信号を映像
表示が可能な信号に変換して表示装置に出力する信号変換手段と、前記表示装置に所定の
ＯＳＤ表示をさせるＯＳＤ表示手段と、番組選択等の各種指令を入力するための入力手段
と、前記デジタル／アナログ復号手段が復号した復号信号に含まれる番組情報を記憶する
記憶手段と、前記各手段を制御するとともに、前記入力手段からの指令を受け、前記記憶
手段に記憶させた番組情報に基いてＥＰＧを作成し、この作成したＥＰＧを前記表示装置
にＥＰＧ画面として表示させ、かつ、番組をグループとして扱うシリーズ番組情報一覧を
前記ＥＰＧ画面と同一画面に表示し、切替手段によりＥＰＧ画面、シリーズ番組一覧、番
組内容一覧の何れかをアクティブ状態に切替え、前記シリーズ番組一覧表の画面のアクテ
ィブ状態において、シリーズ番組を選択することにより、番組内容一覧表を表示し、前記
番組内容一覧表において、前記シリーズ番組の各放送回の情報が表示され、前記番組内容
一覧表において、所望の放送回を選択することにより、その放送回の番組説明および／ま
たは録画予約を行うように制御する制御手段と、を備えたことを特徴とする。
【０００９】
この受信機によれば、ＥＰＧ画面とシリーズ番組一覧表とを同時に表示するとともに、
切替ボタンの押下によってＥＰＧ画面とシリーズ番組一覧表の何れかをアクティブにする
ように切り替えることができる。また、シリーズ番組一覧表にてシリーズ番組を選択する
ことにより、選択されたシリーズ番組の各放送回の情報を表示し、番組内容一覧表におい
て所望の放送回を選択して録画予約及び／または番組説明をすることができ、シリーズ番
組の検索および予約録画が簡単に行えるようになる。
【００１０】
第２発明に係る番組表搭載デジタル放送受信機は、放送局から発信される放送信号を受
信する受信手段と、この受信手段が受信した放送信号を映像表示が可能な信号に変換して
表示装置に出力する信号変換手段と、番組選択等の各種指令を入力するための入力手段と
、
番組情報を記憶する記憶手段と、前記各手段を制御するとともに、前記入力手段からの指
令を受け、前記記憶手段に記憶させた番組情報に基いてＥＰＧを作成し、この作成したＥ
ＰＧを前記表示装置にＥＰＧ画面として表示させ、かつ、番組をグループとして扱うシリ
ーズ番組一覧表を前記ＥＰＧ画面と同一画面に表示し、切替手段により該ＥＰＧ画面とシ
リーズ番組一覧表の一方をアクティブ状態に切替え、前記シリーズ番組一覧表の画面のア
クティブ状態において、シリーズ番組を選択することにより、番組内容一覧表を表示し、
前記番組内容一覧表において、前記シリーズ番組の各放送回の情報が表示されるように制
御する制御手段と、を備えたことを特徴とする。
【００１１】
この受信機によれば、ＥＰＧ画面とシリーズ番組一覧表とを同時に表示するとともに、
切替ボタンの押下によってＥＰＧ画面とシリーズ番組一覧表の何れかをアクティブにする
ように切り替えることができる。また、シリーズ番組一覧表にてシリーズ番組を選択する
ことにより、選択されたシリーズ番組の各放送回の情報を表示することができるので、シ
リーズ番組の検索および予約録画が簡単に行えるようになる。
【００１２】
第３発明に係る受信機は、第２発明に係る受信機において、前記制御手段は、前記シリ
ーズ番組一覧表の画面のアクティブ状態において、シリーズ番組を選択することにより、
前記シリーズ番組一覧表に代えて番組内容一覧表を表示し、前記番組内容一覧表において
、前記シリーズ番組の各放送回の情報が表示されるように制御することを特徴とする。
【００１３】
この場合、ＥＰＧ画面とシリーズ番組一覧表とを表示させた状態から、ＥＰＧ画面と番
組内容一覧とを表示させた状態へと切り替えることができる。したがって、ＥＰＧ画面と
番組内容一覧とによって、シリーズ番組の検索および予約録画が簡単に行えるようになる
。
【００１４】
第４発明に係る受信機は、第２発明に係る受信機において、前記制御手段は、前記シリ
ーズ番組一覧表の画面のアクティブ状態において、シリーズ番組を選択することにより、
前記ＥＰＧ画面、前記シリーズ番組一覧表に加え、番組内容一覧表を表示し、前記番組内
容一覧表において、前記シリーズ番組の各放送回の情報が表示されるように制御すること
を特徴とする。
【００１５】
この場合、ＥＰＧ画面、シリーズ番組一覧表、番組内容一覧を同時に表示させるため、
各画面の領域は縮小されるものの、３つの画面を同時に見ながらシリーズ番組の検索およ
び予約録画が簡単に行えるようになる。
【００１６】
第５発明に係る受信機は、第２乃至４発明の何れかに係る受信機において、前記制御手
段は、前記番組内容一覧表において、所望の放送回を選択することにより、その放送回の
番組説明および／または録画予約を行うように制御する。
【００１７】
この場合、番組内容一覧表において所望の放送回を選択して録画予約及び／または番組
説明をすることができ、シリーズ番組の検索および予約録画が簡単に行えるようになる。
【発明を実施するための最良の形態】
【００１８】
以下、本発明の実施の形態を図面に基づいて説明する。
【００１９】
図１は、本実施形態によるデジタル／アナログ放送受信装置のブロック構成を示してい
る。
【００２０】
デジタル／アナログ放送受信装置（ＳＴＢ）１には、放送局から所定周波数の高周波電
波で発信されるテレビ放送信号を受信するためのアンテナ２０と、テレビ放送の映像を映
し出すためのテレビモニタ（表示装置）３０が接続される。放送受信装置１は、放送局か
ら発信されるＡＴＳＣ放送信号やＮＴＳＣ放送信号をアンテナ２０を介して受信し、これ
らの放送信号により配信されるテレビ番組の映像をテレビモニタ３０に映し出すための装
置である。
【００２１】
放送受信装置１は、リモコン（入力手段）２からの入力信号を受信するリモコン受信部
３と、チューナ（受信手段）４と、ＮＴＳＣデコーダ（アナログ復号手段）５と、ＭＰＥ
Ｇエンコーダ６と、ＡＴＳＣフロントエンド（デジダル復号手段）７と、ＭＰＥＧデコー
ダバックエンド（信号変換手段）９と、ＯＳＤ回路１０と、メモリ１１と、制御部（制御
手段、検索手段、色変更制御手段、ハイライト表示制御手段、警告手段）１３とから構成
されている。
【００２２】
リモコン２は、視聴するテレビ番組のチャンネル選局、テレビ番組の視聴予約及び、Ｅ
ＰＧ画面の表示等の各種操作を行うためのものであり、ユーザにより操作される。リモコ
ン２は、これら各種の操作を可能とするため、後述のような各種操作ボタンを備えており
、各種操作ボタンを操作すると、その操作に応じた赤外線信号等の無線信号を送出する。
【００２３】
リモコン受信部３は、リモコン２から送出された信号を受信し、リモコン２での操作に
対応する信号を制御部１３へ出力する。チューナ４は、その受信周波数をリモコン２で選
局操作されたチャンネルに対応する周波数に同調させることにより、選局操作されたチャ
ンネルのテレビ放送信号をアンテナ２０を介して受信する。
【００２４】
ＮＴＳＣデコーダ５は、リモコン２によりＮＴＳＣ（National Television Systems Co
mmittee）放送のチャンネルが選局された場合、チューナ４で受信したＮＴＳＣ放送信号
をテレビ番組の映像信号と音声信号に復調し、その映像信号と音声信号をＭＰＥＧエンコ
ーダ６へ出力する。ＭＰＥＧエンコーダ６は、ＮＴＳＣデコーダ５から出力された映像信
号と音声信号をＭＰＥＧ規格でデジタル圧縮符号化し、ＭＰＥＧデコーダバックエンド９
へ出力する。
【００２５】
ＡＴＳＣフロントエンド７は、リモコン２によりＡＴＳＣ放送のチャンネルが選局され
た場合、チューナ４で受信した８ＶＳＢ方式で変調されたＡＴＳＣ放送信号を、ＭＰＥＧ
規格でデジタル圧縮符号化された複数のテレビ番組の映像と音声、及び電子番組情報等の
信号が時分割多重化された状態のＴＳ信号に復調する。そして、ＡＴＳＣフロントエンド
７は、このＴＳ信号から、リモコン２で選局されたチャンネルのテレビ番組の映像信号と
音声信号を分離抽出してＭＰＥＧデコーダバックエンド９へ出力すると共に、電子番組情
報を抽出して制御部１３へ出力する。この電子番組情報には、各番組の番組名、番組説明
及びユーザの視聴を制限するためのレイティング情報などが含まれる。
【００２６】
ＭＰＥＧデコーダバックエンド９には、ＭＰＥＧエンコーダ６及びＡＴＳＣフロントエ
ンド７から出力されるＭＰＥＧ規格によりデジタル圧縮符号化された映像信号と音声信号
が入力される。ＭＰＥＧデコーダバックエンド９は、これらの映像信号と音声信号をデジ
タル圧縮符号化される前の信号に復号することで、テレビモニタ３０に映像を映し出すと
共に音声を出力するための信号を生成する。ＭＰＥＧデコーダバックエンド９から出力さ
れた映像信号は、ＯＳＤ回路１０を介してテレビモニタ３０へ出力される。
【００２７】
ＯＳＤ回路１０は、ＭＰＥＧデコーダバックエンド９から出力される映像信号にチャン
ネル番号やＥＰＧ画面等の所定のオンスクリーン表示データを重畳する。これにより、テ
レビモニタ３０には、テレビ番組の映像にオンスクリーン表示データによる画像が重ねて
表示される。
【００２８】
メモリ１１は、各チャンネルのテレビ放送信号の周波数データ及び各種のオンスクリー
ン表示データを記憶している。また、メモリ１１は、ＡＴＳＣフロントエンド７が抽出し
た電子番組情報を記憶する。
【００２９】
制御部１３は、リモコン２によりＮＴＳＣ放送のチャンネルが選局された場合には、チ
ューナ４に対して選局されたチャンネルのＮＴＳＣ放送信号を受信させると共に、ＮＴＳ
Ｃデコーダ５に対して映像信号と音声信号を復調再生させる。また、リモコン２によりＡ
ＴＳＣ放送のチャンネルが選局された場合には、チューナ４に対して選局されたチャンネ
ルのＡＴＳＣ放送信号を受信させ、ＡＴＳＣフロントエンド７に対して選局されたチャン
ネルの映像信号と音声信号を分離抽出させる。
【００３０】
また、制御部１３は、チューナ４に対してＡＴＳＣ放送信号を受信させ、ＡＴＳＣフロ
ントエンド７から出力される電子番組情報をメモリ１１に記憶させる。そして、リモコン
２によりＥＰＧ画面の表示操作が行われると、メモリ１１に記憶させた電子番組情報を参
照して、ＥＰＧの番組選択画面の表示画像を作成し、その画像信号をＯＳＤ回路１０へ出
力する。これにより、ＥＰＧの番組選択画面がテレビモニタ３０に表示される。次に、こ
の実施の形態のチューナ１から出力される番組表の構成例を説明する。
【００３１】
図２は、チューナ１から表示信号として出力されディスプレイに映し出される番組表の
一例を示す画像図である。ＥＰＧボタンを押すと、ＥＰＧ４１及びシリーズ番組一覧表４
２が表示され、現在視聴中の番組（この例では、「連ドラ・ＡＡＡ」がフォーカスされる
）。なお、ここにいうフォーカスとは、その部分の光度を強くしたり、点滅させたり、反
転させたり等により、他の部分と区別できるようにすることである。同図に示すように、
この番組表４０は、ある年月日（この例では、２００４年６月４日(金)）における、ＥＰ
Ｇ画面４１と、このＥＰＧ画面４１の右側に表示されるシリーズ番組一欄表４２とが同時
に一画面に表示されたものである。ＥＰＧ画面４１は、縦軸に放送局名４３、横軸に時間
４４およびそれぞれの時間における番組名４５を表示したもので、従来から用いられてい
る通常のものである。シリーズ番組一欄表４２には、現在視聴中のチャンネルＫＨＮ２で
放送しているシリーズ番組、例えば、毎日、月曜から金曜に毎日、毎週１回、月１回のよ
うに規則的に放映される番組、あるいはプロ野球中継等のように不定期な番組が表示され
ている。この例では、ＫＨＮ２のクッキングＡ（毎週）、将棋放送（月１）、連ドラ・Ａ
ＡＡ（毎週）、連ドラ・ＢＢＢ（毎週）、プロ野球放送（不定期）の例を示している。上
記ＥＰＧ画面４１には、スクロールバー４１ａが設けられており、これをリモコンで操作
することにより、画面を自由にスクロールできる。図２の状態では、ＥＰＧ４１がアクテ
ィブの状態、即ち、フォーカスを移動できる状態であり、この例では、フォーカスされて
いる「連ドラ・ＡＡＡ」は、フォーカスされていることを示す太枠と、フォーカスが移動
可能な状態であることを示す網掛とで表示されている。一方、図２の状態では、シリーズ
番組一覧表４２はアクティブでなく、フォーカスされている「連ドラ・ＡＡＡ」は、フォ
ーカスされていることを示す太枠のみで表示されている。
【００３２】
図６は、リモコン２の構成例を示している。通常のチャンネルキー５１の下部に、メニ
ューキー５２、検索キー５３、十字キー５４（カーソルキー）、ＥＰＧとシリーズ番組一
欄との切替えを行う切替キー５６、決定キー５７および戻るボタン５８が設けられている
。切替キー５６は、押下の毎にＥＰＧ４１、シリーズ番組一覧表４２を切り換える。
【００３３】
図３は、シリーズ番組情報の表示例を示す図である。図２のように、ＥＰＧ４１がアク
ティブの状態で切替キー５６を押すと、シリーズ一覧表４２がアクティブの状態となる。
この状態では、図３に示すように、シリーズ番組一覧表４２で、例えば「連ドラ・ＡＡＡ
」４５ｂがフォーカスされ、フォーカスを示す太枠と、フォーカスを移動可能であること
を示す網掛とによって表示される。シリーズ番組一覧４２の下部には、「連ドラ・ＡＡＡ
」のシリーズ情報４９として、シリーズ名、編成、残話数、最終放送日等が表示される。
また、アクティブ状態にあるシリーズ番組一覧表４２において、十字キー５４等によりフ
ォーカスを上下に移動させることにより、他のシリーズ番組のシリーズ情報４９を表示さ
せることができる。
【００３４】
図４は、番組内容一覧表の表示例１を示す図である。図３において「連ドラ・ＡＡＡ」
４５ｂがフォーカスされている状態で、決定キー５７を押すと、図４に示すように、シリ
ーズ番組一覧４２に代わって番組内容一覧表４２’が表示される。番組内容一覧表４２’
には、「連ドラ・ＡＡＡ」の各放送回の一覧が表示され、ＥＰＧ４１でフォ―カスされて
いる２００４／６／４（金）の放送回に対応する第６話が、番組内容一覧表４２’でフォ
ーカスされる。この状態では、番組内容一覧表４２’がアクティブとされ、番組内容一覧
表４２’でフォーカスされている「連ドラ・ＡＡＡ」の第６話は、太枠及び網掛で表示さ
れる。この状態で、決定キー５７を押すことにより、第６話の録画予約及び番組説明を実
施する。番組内容一覧表４２’がアクティブの状態でフォーカスを移動することが可能で
あり、フォーカスの移動により他の放送回をフォーカスして録画予約及び番組説明を実施
することができる。また、リモコン２の戻るボタンを押下することにより、図３の画面に
戻ることができる。
【００３５】
図５は、番組内容一覧表の表示例２を示す図である。
【００３６】
同図は、図３に示すシリーズ番組一覧表４２（アクティブ）において「連ドラ・ＡＡＡ
」にフォーカスを合わせて決定キー５７を押すと、図４に示す画面を表示する代わりに、
図５に示すように、ＥＰＧ４１、シリーズ番組一覧表４２を縮小させて番組内容一覧表４
２’を追加して表示し、番組内容一覧表４２’をアクティブとし、番組内容一覧表４２’
において、ＥＰＧ４１でのフォ―カスに対応する放送回をフォーカスする。ここでは、番
組内容一覧表４２’には、連ドラ・ＡＡＡの各放送回の一覧が表示され、ＥＰＧ４１でフ
ォ―カスされている２００４／６／４（金）の放送回に対応する第６話が、番組内容一覧
表４２’でフォーカスされる。この画面でも、図４と同様に、番組内容一覧表４２’がア
クティブとされ、番組内容一覧表４２’でフォーカスされている「連ドラ・ＡＡＡ」の第
６話は、太枠及び網掛で表示される。この状態で、決定キー５７を押すことにより、第６
話の録画予約及び番組説明を実施する。番組内容一覧表４２’がアクティブの状態でフォ
ーカスを移動することが可能であり、フォーカスの移動により他の放送回をフォーカスし
て録画予約及び番組説明を実施することができる。また、リモコン２の戻るボタンを押下
することにより、図３の画面に戻ることができる。また、図５の画面において、リモコン
２の切替キー５６の押下ごとに、ＥＰＧ４１、シリーズ番組一覧表４２、番組内容一覧表
４２’の間でアクティブな画面を切り替えられるようにしても良い。
【００３７】
この例では、ＥＰＧは画面は縮小されるが、シリーズ番組一覧表４２でシリーズ番組を
選択し、同じ画面中の番組一覧表４２’でその番組の各放送回の情報が表示されるので、
表示が見やすく、操作が容易であるという利点がある。
【００３８】
なお、上記実施形態では、切替キー５６を１個のみ設けて、押下ごとに切替えるように
しているが、切替キーを２個設けて、一方を押したときＥＰＧ４１、他方を押したときシ
リーズ番組一覧表４２をそれぞれ切替るようにしてもよい。
【００３９】
以上説明した本実施例では、ＥＰＧ４１と同じ画面に、シリーズ番組情報としてのシリ
ーズ番組一覧表４２または番組内容一覧表４２’を表示し、番組内容一覧表４２’に表示
される各放送回のうち所望の放送回を選択して録画予約及び／又は番組説明を実施するの
で、シリーズ番組の検索及び録画予約が簡易になる。
【図面の簡単な説明】
【００４０】
【図１】本発明の一実施形態による放送受信装置のブロック構成図。
【図２】同装置によって表示された番組表の一例を示す図。
【図３】シリーズ番組情報の表示方法の第１例を示す図。
【図４】番組内容一覧表の表示例１を示す図。
【図５】番組内容一覧表の表示例２を示す図。
【図６】同装置の操作用リモコンの正面図。
【符号の説明】
【００４１】
１  デジタル／アナログ放送受信機
２  リモコン（入力手段）
４  チューナ（受信手段）
５  ＮＴＳＣデコーダ（アナログ復号手段）
７  ＡＴＳＣフロントエンド（デジダル復号手段）  
８  ＭＰＥＧデコーダバックエンド（信号変換手段）
９  ＯＳＤ回路（ＯＳＤ表示手段）
１１  メモリ（記憶手段）
１３ 制御手段
３０  表示装置
４１  ＥＰＧ画面
４２  シリーズ番組情報一覧
４９  シリーズ情報
５６  切替キー（切替手段）
５７  決定キー
５８  戻るボタン
【図１】
2006115227.tif 000003
【図２】
2006115227.tif 000004
【図３】
2006115227.tif 000005
【図４】
2006115227.tif 000006
【図５】
2006115227.tif 000007
【図６】
2006115227.tif 000008